(57)【要約】【課題】特に専用の設備を保有しない最終消費者等においても、容易に再帰反射シールを用いて対象物の真贋判定を行うことができる技術を提供する。【解決手段】顧客（ユーザ）は、多機能携帯通信端末のＬＥＤライトから直進光を再帰反射シールに照射しながらカメラで撮像し、その画像データをセンターに送信する。センターは、送信された画像データを用いて真贋判定を行い、その結果を顧客に通知する。多機能携帯通信端末には真贋判定用アプリケーションをインストールしておき、これを実行することで、ＬＥＤライトの点灯やカメラによる撮影が可能になるとともに、画像データの送信まで行うことができる。センターからの通知はメールで受信することができるので、エンドユーザでも真贋判定結果の確認が容易になる。【選択図】図６
2012195018.tif 000002
【特許請求の範囲】
【請求項１】
基材層と、
前記基材層の一方の面に積層され、透明微小球の一部分が露出した状態で埋め込まれ、多数の透明微小球が分布して配置された微小球固定層と光反射層とからなり、一定方向より入射した光の少なくとも一部を入射方向へ再帰反射させる再帰反射層と、
前記基材層の他方の面に積層された粘着層と、
前記透明微小球が露出した側の微小球固定層の面上の少なくとも一部にパターン形状をなして設けられた透明樹脂層と
を備えた再帰反射積層体を用いて行う対象物の真贋判定方法であって、
前記再帰反射積層体に対し、発光素子及び撮像素子を有する撮像装置を用いて前記発光素子から前記表面に向けて直進性の光を照射した状態で、前記再帰反射層からみて前記発光素子と前記撮像素子との間の角度が１０度以下となる態様で前記撮像装置を相対的に配置しつつ前記撮像素子により前記再帰反射積層体を撮像する撮像工程と、
前記撮像工程で撮像して得られた画像データを所定の判定処理装置に送信する送信工程と、
前記画像データで表される前記再帰反射積層体の色彩及び前記パターン形状の有無の少なくとも一方の要素に基づき対象物の真贋判定を行う判定工程と、
前記真贋判定の結果を前記撮像装置に対して通知する通知工程と
を有する対象物の真贋判定方法。
【請求項２】
基材層と、
前記基材層の一方の面に積層され、透明微小球の一部分が露出した状態で埋め込まれ、多数の透明微小球が分布して配置された微小球固定層と光反射層とからなり、一定方向より入射した光の少なくとも一部を入射方向へ再帰反射させる再帰反射層と、
前記基材層の他方の面に積層された粘着層と、
前記透明微小球が露出した側の微小球固定層の面上の少なくとも一部にパターン形状をなして設けられた透明樹脂層と
を備えた再帰反射積層体を用いて行う対象物の真贋判定方法であって、
前記再帰反射積層体に対し、発光素子及び撮像素子を有する撮像装置を用いて前記発光素子から前記表面に向けて直進性の光を照射した状態で、前記再帰反射層からみて前記発光素子と前記撮像素子との間の角度が１０度以下となる態様で前記撮像装置を相対的に配置しつつ前記撮像素子により撮像された前記再帰反射積層体の画像データが前記撮像装置から送信されると、所定の判定処理装置にて前記画像データを受信する受信工程と、
前記判定処理装置にて前記画像データを受信すると、前記画像データで表される前記再帰反射積層体の色彩及び前記パターン形状の有無の少なくとも一方の要素に基づき対象物の真贋判定を行う判定工程と、
前記真贋判定の結果を前記撮像装置に対して通知する通知工程と
を有する対象物の真贋判定方法。
【請求項３】
基材層と、
前記基材層の一方の面に積層され、透明微小球の一部分が露出した状態で埋め込まれ、多数の透明微小球が分布して配置された微小球固定層と光反射層とからなり、一定方向より入射した光の少なくとも一部を入射方向へ再帰反射させる再帰反射層と、
前記基材層の他方の面に積層された粘着層と、
前記透明微小球が露出した側の微小球固定層の面上の少なくとも一部にパターン形状をなして設けられた透明樹脂層と
を備えた再帰反射積層体を用いて行う対象物の真贋判定方法であって、
前記再帰反射積層体に対し、発光素子及び撮像素子を有する撮像装置を用いて前記発光素子から前記表面に向けて直進性の光を照射した状態で、前記再帰反射層からみて前記発光素子と前記撮像素子との間の角度が１０度以下となる態様で前記撮像装置を相対的に配置しつつ前記撮像素子により前記再帰反射積層体を撮像する撮像工程と、
前記撮像工程で撮像して得られた画像データを用いて所定の表示装置に前記再帰反射積層体の画像を表示する表示工程と、
前記表示装置に表示された画像で表される前記再帰反射積層体の色彩及び前記パターン形状の有無の少なくとも一方の要素に基づき対象物の真贋判定を行う判定工程と
を有する対象物の真贋判定方法。
【請求項４】
基材層と、
前記基材層の一方の面に積層され、透明微小球の一部分が露出した状態で埋め込まれ、多数の透明微小球が分布して配置された微小球固定層と光反射層とからなり、一定方向より入射した光の少なくとも一部を入射方向へ再帰反射させる再帰反射層と、
前記基材層の他方の面に積層された粘着層と、
前記透明微小球が露出した側の微小球固定層の面上の少なくとも一部にパターン形状をなして設けられた透明樹脂層と
を備えた再帰反射積層体を用いる真贋判定用画像データの取得方法であって、
前記再帰反射積層体に対し、発光素子及び撮像素子を有する撮像装置を用いて前記発光素子から前記表面に向けて直進性の光を照射した状態で、前記再帰反射層からみて前記発光素子と前記撮像素子との間の角度が１０度以下となる態様で前記撮像装置を相対的に配置しつつ前記撮像素子により撮像された前記再帰反射積層体の画像データが前記撮像装置から送信されると、所定の受信サーバにて前記画像データを受信する受信工程と、
前記受信サーバにて受信した前記画像データを、これによって表される前記再帰反射積層体の色彩及び前記パターン形状の有無の少なくとも一方の要素に基づき対象物の真贋判定を行うための真贋判定用画像データとして保存する保存工程と
を有する真贋判定用画像データの取得方法。
【請求項５】
基材層と、
前記基材層の一方の面に積層され、透明微小球の一部分が露出した状態で埋め込まれ、多数の透明微小球が分布して配置された微小球固定層と光反射層とからなり、一定方向より入射した光の少なくとも一部を入射方向へ再帰反射させる再帰反射層と、
前記基材層の他方の面に積層された粘着層と、
前記透明微小球が露出した側の微小球固定層の面上の少なくとも一部にパターン形状をなして設けられた透明樹脂層と
を備えた再帰反射積層体を用いて行う対象物の真贋判定システムであって、
前記再帰反射積層体に対し、発光素子及び撮像素子を有する撮像装置を用いて前記発光素子から前記表面に向けて直進性の光を照射した状態で、前記再帰反射層からみて前記発光素子と前記撮像素子との間の角度が１０度以下となる態様で前記撮像装置を相対的に配置しつつ前記撮像素子により前記再帰反射積層体を撮像する撮像手段と、
前記撮像手段により撮像して得られた画像データを所定の判定処理装置に送信する送信手段と、
前記画像データで表される前記再帰反射積層体の色彩及び前記パターン形状の有無の少なくとも一方の要素に基づき対象物の真贋判定を行う判定手段と、
前記真贋判定の結果を前記撮像装置に対して通知する通知手段と
を備えた対象物の真贋判定システム。
【請求項６】
基材層と、
前記基材層の一方の面に積層され、透明微小球の一部分が露出した状態で埋め込まれ、多数の透明微小球が分布して配置された微小球固定層と光反射層とからなり、一定方向より入射した光の少なくとも一部を入射方向へ再帰反射させる再帰反射層と、
前記基材層の他方の面に積層された粘着層と、
前記透明微小球が露出した側の微小球固定層の面上の少なくとも一部にパターン形状をなして設けられた透明樹脂層と
を備えた再帰反射積層体を用いて行う対象物の真贋判定システムであって、
前記再帰反射積層体に対し、発光素子及び撮像素子を有する撮像装置を用いて前記発光素子から前記表面に向けて直進性の光を照射した状態で、前記再帰反射層からみて前記発光素子と前記撮像素子との間の角度が１０度以下となる態様で前記撮像装置を相対的に配置しつつ前記撮像素子により撮像された前記再帰反射積層体の画像データが前記撮像装置から送信されると、所定の判定処理装置にて前記画像データを受信する受信手段と、
前記判定処理装置にて前記画像データを受信すると、前記画像データで表される前記再帰反射積層体の色彩及び前記パターン形状の有無の少なくとも一方の要素に基づき対象物の真贋判定を行う判定手段と、
前記真贋判定の結果を前記撮像装置に対して通知する通知手段と
を備えた対象物の真贋判定システム。
【請求項７】
基材層と、
前記基材層の一方の面に積層され、透明微小球の一部分が露出した状態で埋め込まれ、多数の透明微小球が分布して配置された微小球固定層と光反射層とからなり、一定方向より入射した光の少なくとも一部を入射方向へ再帰反射させる再帰反射層と、
前記基材層の他方の面に積層された粘着層と、
前記透明微小球が露出した側の微小球固定層の面上の少なくとも一部にパターン形状をなして設けられた透明樹脂層と
を備えた再帰反射積層体を用いる真贋判定用画像データの取得システムであって、
前記再帰反射積層体に対し、発光素子及び撮像素子を有する撮像装置を用いて前記発光素子から前記表面に向けて直進性の光を照射した状態で、前記再帰反射層からみて前記発光素子と前記撮像素子との間の角度が１０度以下となる態様で前記撮像装置を相対的に配置しつつ前記撮像素子により撮像された前記再帰反射積層体の画像データが前記撮像装置から送信されると、所定の受信サーバにて前記画像データを受信する受信手段と、
前記受信サーバにて受信した前記画像データを、これによって表される前記再帰反射積層体の色彩及び前記パターン形状の有無の少なくとも一方の要素に基づき対象物の真贋判定を行うための真贋判定用画像データとして保存する保存手段と
を備えた真贋判定用画像データの取得システム。
【請求項８】
基材層と、
前記基材層の一方の面に積層され、透明微小球の一部分が露出した状態で埋め込まれ、多数の透明微小球が分布して配置された微小球固定層と光反射層とからなり、一定方向より入射した光の少なくとも一部を入射方向へ再帰反射させる再帰反射層と、
前記基材層の他方の面に積層された粘着層と、
前記透明微小球が露出した側の微小球固定層の面上の少なくとも一部にパターン形状をなして設けられた透明樹脂層と
を備えた再帰反射積層体を用いて行われる対象物の真贋判定用プログラムであって、
少なくとも発光素子、撮像素子、記憶媒体、無線通信機能及び表示画面を有する撮像装置に内蔵されたコンピュータに、
前記発光素子を起動させるステップと、
前記撮像素子を起動させるステップと、
前記撮像素子により撮像された画像を前記表示画面に表示させるステップと、
前記発光素子から照射された直進光が前記表面に向けて照射された状態で、前記再帰反射層からみて前記発光素子と前記撮像素子との間の角度が１０度以下となる位置関係に前記再帰反射積層体と前記撮像装置がある状態で前記撮像素子により撮像された前記再帰反射積層体の画像を真贋判定用画像データとして前記記憶媒体に記憶させるステップと、
前記無線通信機能を用いて、前記記憶媒体に記憶された前記真贋判定用画像データを所定の判定処理装置に送信するステップと、
送信した前記真贋判定用画像データで表される前記再帰反射積層体の色彩及び前記パターン形状の有無の少なくとも一方の要素に基づき、前記判定処理装置で行われた対象物の真贋判定の結果を受信するステップと
を実行させる対象物の真贋判定用プログラム。
【発明の詳細な説明】
【技術分野】
【０００１】
本発明は、再帰反射積層体を用いて行う対象物の真贋判定方法、真贋判定用画像データの取得方法、対象物の真贋判定システム、真贋判定用画像データの取得システム、及び真贋判定用プログラムに関する。
【背景技術】
【０００２】
従来、再帰反射積層体（積層材料）に情報を記録しておき、再帰反射光を用いてその情報を読みとる先行技術が知られている（例えば、特許文献１参照。）。すなわち、この先行技術は、積層材料を構成するガラスビーズ（微小な球状透明体）固定層の一部の表面を透明樹脂層で覆い、透明樹脂層部分の再帰反射率を露出面より低下させることで、透明樹脂層が設けられた部分と設けられていない部分との再帰反射率の違いを利用してバーコードや二次元コード等の情報を予め記録しておくものである。
【０００３】
このため、上記の先行技術によれば、予め情報を記録した再帰反射積層体に直進性の光を照射し、その再帰反射光を視認することにより、そこからバーコードや二次元コード等の情報を読みとることができる。また、ハーフミラーに反射させた直進光を再帰反射積層体に照射し、そこからの再帰反射光をハーフミラー越しに受光して検出信号を生成することにより、検出信号を機械的に解析（デコード）して情報を読みとることもできる。
【０００４】
上記の先行技術において、例えばバーコード等に予め真贋判定用のセキュリティ情報を挿入しておけば、その解析結果から再帰反射積層体を用いた真贋判定を行うことが可能である。例えば、各種商品や包装体等の出荷時に予めセキュリティ情報を挿入した再帰反射積層体を貼付しておけば、その流通・販売の過程で適宜、セキュリティ情報の読み取りを行って、商品が真正のものであるか否かの真贋判定を行うことができると考えられる。
【先行技術文献】
【特許文献】
【０００５】
【特許文献１】特許第４４６８９０２号公報
【発明の概要】
【発明が解決しようとする課題】
【０００６】
上述した先行技術の方法は、再帰反射積層体から情報を読み取るのに専用の設備や装置を必要とする。このため、たとえ再帰反射積層体にセキュリティ情報が挿入されていたとしても、これを用いて真贋判定を行うには、常に専用設備を用意しておかなければならないという問題がある。この点、物流の拠点や小売店等に専用の器具（真贋判定用ライト）を配布することも考えられるが、末端の消費者個人にまで器具を行き渡らせることまでは現実的でない。
【０００７】
そこで本発明は、特に専用の設備を保有しない最終消費者等においても、容易に再帰反射積層体を用いて対象物の真贋判定を行うことができる技術を提供するものである。
【課題を解決するための手段】
【０００８】
上記の課題を解決するため、本発明は真贋判定方法を提供する。本発明の真贋判定方法には、以下に示す複数の態様がある。
【０００９】
〔真贋判定方法１〕
本発明の真贋判定方法１は、基材層と、基材層の一方の面に積層され、透明微小球の一部分が露出した状態で埋め込まれ、多数の透明微小球が分布して配置された微小球固定層と光反射層とからなり、一定方向より入射した光の少なくとも一部を入射方向へ再帰反射させる再帰反射層と、基材層の他方の面に積層された粘着層と、透明微小球が露出した側の微小球固定層の面上の少なくとも一部にパターン形状をなして設けられた透明樹脂層とを備えた再帰反射積層体を用いて行う対象物の真贋判定方法であり、以下の工程を有する。
【００１０】
〔撮像工程〕
この工程では、発光素子及び撮像素子を有する撮像装置を使用する。すなわち、再帰反射積層体に対し、撮像装置の発光素子から再帰反射積層体の表面に向けて直進性の光（直進光）を照射し、このとき、再帰反射層からみて発光素子と撮像素子との間の角度が１０度以下となる態様で撮像装置を相対的に配置しながら撮像素子により再帰反射積層体を撮像する。
【００１１】
〔送信工程〕
この工程では、撮像工程で撮像して得られた画像データを所定の判定処理装置に送信する。撮像装置は、多機能携帯通信端末であることが好ましい。この場合、多機能携帯通信端末の通信機能を利用して、画像データを携帯通信網やインターネット回線を通じて送信することができる。
【００１２】
〔判定工程〕
この工程では、画像データで表される再帰反射積層体の色彩及びパターン形状の有無の少なくとも一方の要素に基づき対象物の真贋判定を行う。ここで「色彩」は、再帰反射層に直進性の光を照射したとき、その再帰反射光に現れる色相、明度、彩度等が該当する。また「パターン形状」は、例えば直進光が照射された範囲に含まれる透明樹脂層の形態（外観）に相当する。
【００１３】
〔通知工程〕
この工程では、真贋判定の結果を撮像装置に対して通知する。上記のように、撮像装置が多機能携帯通信端末である場合、真贋判定の結果を携帯通信網やインターネット回線を通じて通知（送信）することができる。
【００１４】
本発明の真贋判定方法１によれば、各所の物流拠点や小売店舗において汎用の撮像装置を使用して再帰反射積層体を撮像し、その取得した画像データを送信するだけで、送信先で行われた真贋判定の結果を容易に知ることができる。このため、物流拠点や小売店舗等に専用の設備や装置を設置しておく必要がない。また、真贋判定を行う機能を判定処理装置の設置箇所（例えばサービスセンター）に集中させることで、判定基準を高度に維持しつつ、誤判定を少なくすることができる。
【００１５】
〔真贋判定方法２〕
本発明の真贋判定方法２は、真贋判定方法１で用いたものと同様の構成を有する再帰反射積層体を用いて行う対象物の真贋判定方法であり、以下の工程を有する。
【００１６】
〔受信工程〕
この工程では、所定の判定処理装置にて再帰反射積層体の画像データを受信する。このとき画像データは、各所の物流拠点や小売店舗、末端消費者個人等において事前に撮像されたものである。画像データの撮像には、発光素子及び撮像素子を有する撮像装置を用いて行われることが好ましい。すなわち、再帰反射積層体に対し、撮像装置の発光素子から再帰反射積層体の表面に向けて直進性の光を照射した場合、再帰反射層からみて発光素子と撮像素子との間の角度が１０度以下となる態様で撮像装置を相対的に配置しつつ撮像素子により再帰反射積層体の画像データが撮像される。そして、画像データが撮像装置から送信されると、判定処理装置にて画像データを受信することができる。同様に撮像装置が多機能携帯通信端末であれば、画像データを携帯通信網やインターネット回線を通じて送信することができる。
【００１７】
〔判定工程〕
この工程では、判定処理装置にて画像データを受信すると、画像データで表される再帰反射積層体の色彩及びパターン形状の有無の少なくとも一方の要素に基づき対象物の真贋判定を行う。上記の真贋判定方法１と同様に、「色彩」は、例えば再帰反射層に直進性の光を照射したとき、その再帰反射光に現れる色相、明度、彩度等が該当する。また「パターン形状」は、例えば直進光が照射された範囲に含まれる透明樹脂層の形態（外観）に相当する。
【００１８】
〔通知工程〕
この工程では、真贋判定の結果を撮像装置に対して通知する。同様に、撮像装置が多機能携帯通信端末である場合、真贋判定の結果を携帯通信網やインターネット回線を通じて通知（送信）することができる。
【００１９】
本発明の真贋判定方法２によれば、例えば、各所の物流拠点や小売店舗、末端の消費者個人等が有する汎用の撮像装置で再帰反射積層体を撮像し、その画像データが判定処理装置に送信されてくれば、後は判定処理装置にて真贋判定を行い、その結果を送信元の撮像装置に知らせることができる。これにより、物流拠点や小売店舗をはじめ、末端の消費者個人が専用の設備や装置を保有していなくても、汎用の撮像装置を用いるだけで真贋判定の結果を容易に知ることができる。また、真贋判定を行う機能を判定処理装置の設置箇所（例えばサービスセンター）に集中させることで、判定基準を高度に維持しつつ、誤判定を少なくすることができる。
【００２０】
〔真贋判定方法３〕
本発明の真贋判定方法３は、真贋判定方法１で用いたものと同様の構成を有する再帰反射積層体を用いて行う対象物の真贋判定方法であり、以下の工程を有する。
【００２１】
〔撮像工程〕
この工程では、発光素子及び撮像素子を有する撮像装置を使用する。すなわち、再帰反射積層体に対し、撮像装置の発光素子から再帰反射積層体の表面に向けて直進性の光を照射し、このとき、再帰反射層からみて発光素子と撮像素子との間の角度が１０度以下となる態様で撮像装置を相対的に配置しながら撮像素子により再帰反射積層体を撮像する。
【００２２】
〔表示工程〕
この工程では、撮像工程で撮像して得られた画像データを用いて所定の表示装置に再帰反射積層体の画像を表示する。表示装置は、撮像装置と一体である態様でもよい。すなわち、撮像装置に表示装置（ディスプレイ）が一体に備わっていれば、撮像素子で撮像した画像データを撮像装置の表示装置に表示することができる。
【００２３】
〔判定工程〕
この工程では、表示装置に表示された画像で表される再帰反射積層体の色彩及びパターン形状の有無の少なくとも一方の要素に基づき対象物の真贋判定を行う。上記の真贋判定方法１と同様に、「色彩」は、例えば再帰反射層に直進性の光を照射したとき、その再帰反射光に現れる色相、明度、彩度等が該当する。また「パターン形状」は、例えば直進光が照射された範囲に含まれる透明樹脂層の形態（外観）に相当する。
【００２４】
本発明の真贋判定方法３によれば、専用の真贋判定器具を用いなくても、汎用の撮像装置及び表示装置を用いるだけで対象物の真贋判定を容易に実現することができる。また、撮像装置で撮像した画像データを別の判定処理装置等に送信したり、真贋判定の結果が通知されてきたりするのを待たずに、手元で直に真贋判定を行うことができる。
【００２５】
〔真贋判定用画像データの取得方法〕
次に本発明は、真贋判定用画像データの取得方法を提供する。本発明の取得方法は、真贋判定方法１〜３で用いたものと同様の構成を有した再帰反射積層体を用いる真贋判定用画像データの取得方法であり、以下の工程を有する。
【００２６】
〔受信工程〕
この工程では、所定の受信サーバにて再帰反射積層体の画像データを受信する。このとき画像データは、各所の物流拠点や小売店舗、末端消費者個人等において事前に撮像されたものである。画像データの撮像には、発光素子及び撮像素子を有する撮像装置を用いて行われることが好ましい。すなわち、再帰反射積層体に対し、撮像装置の発光素子から再帰反射積層体の表面に向けて直進性の光を照射した場合、再帰反射層からみて発光素子と撮像素子との間の角度が１０度以下となる態様で撮像装置を相対的に配置しつつ撮像素子により再帰反射積層体の画像データが撮像される。そして、画像データが撮像装置から送信されると、受信サーバにて画像データを受信することができる。このとき、撮像装置が多機能携帯通信端末であれば、画像データを携帯通信網やインターネット回線を通じて送信することができる。
【００２７】
〔保存工程〕
この工程では、受信サーバにて受信した画像データを真贋判定用画像データとして保存する。すなわち画像データは、これによって表される再帰反射積層体の色彩及び前記パターン形状の有無の少なくとも一方の要素に基づき対象物の真贋判定を行うための真贋判定用画像データとして保存される。ここで、「色彩」は、例えば再帰反射層に直進性の光を照射したとき、その再帰反射光に現れる色相、明度、彩度等が該当する。また「パターン形状」は、例えば直進光が照射された範囲に含まれる透明樹脂層の形態（外観）に相当する。
【００２８】
本発明の取得方法によれば、例えば、各所の物流拠点や小売店舗、末端の消費者個人等が有する汎用の撮像装置で再帰反射積層体を撮像し、その画像データが受信サーバに送信されてくることにより、真贋判定用画像データを効率よく大量に取得し、保存することができる。これにより、保存した個々の真贋判定用画像データを用いて個別に真贋判定を行い、その結果を送信元である個々の撮像装置に通知することが容易になる。したがって、物流拠点や小売店舗をはじめ、末端の消費者個人が専用の設備や装置を保有していなくても、汎用の撮像装置を用いるだけで真贋判定の結果を容易に知ることができる。
【００２９】
また本発明は、対象物の真贋判定システムを提供する。本発明の真贋判定システムには、以下に示す複数の態様が含まれる。
【００３０】
〔真贋判定システム１〕
本発明の真贋判定システム１は、真贋判定方法１〜３で用いたものと同様の構成を有する再帰反射積層体を用いて行う対象物の真贋判定システムであり、少なくとも撮像手段、送信手段、判定手段及び通知手段を備える。
【００３１】
このうち撮像手段は、発光素子及び撮像素子を有する撮像装置の機能を用いたものである。すなわち撮像手段は、再帰反射積層体に対し、撮像装置を用いて発光素子から再帰反射積層体の表面に向けて直進性の光を照射した場合、再帰反射層からみて発光素子と撮像素子との間の角度が１０度以下となる態様で撮像装置を相対的に配置しつつ撮像素子により再帰反射積層体を撮像する。
【００３２】
また送信手段は、撮像手段により撮像して得られた画像データを所定の判定処理装置に送信するものである。撮像装置が例えば多機能携帯通信端末であれば、その通信機能を用いて送信手段としての機能を発揮することができる。
【００３３】
判定手段は、送信された画像データで表される再帰反射積層体の色彩及びパターン形状の有無の少なくとも一方の要素に基づき対象物の真贋判定を行う。判定手段としての機能は、判定処理装置が有する情報処理機能を活用したものであることが好ましい。ここで、「色彩」は、例えば再帰反射層に直進性の光を照射したとき、その再帰反射光に現れる色相、明度、彩度等が該当する。また「パターン形状」は、例えば直進光が照射された範囲に含まれる透明樹脂層の形態（外観）に相当する。
【００３４】
そして通知手段は、判定手段による真贋判定の結果を撮像装置に対して通知するものである。通知手段としての機能は、撮像装置が例えば多機能携帯通信端末である場合、判定処理装置が有する情報通信機能とともに、携帯通信網やインターネット回線を通じた情報通信機能を活用したものであることが好ましい。
【００３５】
本発明の真贋判定システム１によれば、各所の物流拠点や小売店舗に汎用の撮像装置を用意しておくだけで、これを使用して再帰反射積層体の撮像や、その画像データの送信、画像データを用いた真贋判定、そして、真贋判定の結果の取得までを容易に行うことができる。このため、物流拠点や小売店舗等に専用の設備や装置を設置しておく必要がなく、各所で容易に真贋判定の結果を得ることができる。また、真贋判定を行う機能を判定処理装置の設置箇所（例えばサービスセンター）に集中させることで、判定基準を高度に維持しつつ、誤判定を少なくすることができる。
【００３６】
〔真贋判定システム２〕
本発明の真贋判定システム２は、真贋判定システム１で用いたものと同様の構成を有する再帰反射積層体を用いて行う対象物の真贋判定システムであり、少なくとも受信手段、判定手段及び通知手段を備える。
【００３７】
システムの受信手段は、所定の判定処理装置にて再帰反射積層体の画像データを受信する。受信する画像データは、各所の物流拠点や小売店舗、末端消費者個人等において事前に撮像されたものである。画像データの撮像は、発光素子及び撮像素子を有する撮像装置を用いて行われていることが好ましい。すなわち、再帰反射積層体に対し、撮像装置の発光素子から再帰反射積層体の表面に向けて直進性の光を照射した場合、再帰反射層からみて発光素子と撮像素子との間の角度が１０度以下となる態様で撮像装置を相対的に配置しつつ撮像素子により再帰反射積層体の画像データが撮像される。そして、画像データが撮像装置から送信されると、判定処理装置にて画像データを受信することができる。このとき、撮像装置が多機能携帯通信端末であれば、携帯通信網やインターネット回線を通じて画像データが送信される。
【００３８】
判定手段は、判定処理装置にて画像データを受信すると、画像データで表される再帰反射積層体の色彩及び前記パターン形状の有無の少なくとも一方の要素に基づき対象物の真贋判定を行う。また通知手段は、記真贋判定の結果を撮像装置に対して通知する。
【００３９】
本発明の真贋判定システム２によれば、例えば、各所の物流拠点や小売店舗、末端の消費者個人等が有する汎用の撮像装置で再帰反射積層体を撮像し、その画像データがシステムに送信されてくれば、後はシステムが画像データの受信、画像データを用いた真贋判定を行い、その結果を送信元の撮像装置に知らせることができる。これにより、物流拠点や小売店舗をはじめ、末端の消費者個人が専用の設備や装置を保有していなくても、汎用の撮像装置を用いるだけで真贋判定の結果を容易に知ることができる。また、真贋判定を行う機能をシステム内で判定処理装置の設置箇所（例えばサービスセンター）に集中させることにより、判定基準を高度に維持しつつ、誤判定を少なくすることができる。
【００４０】
また本発明は、真贋判定用画像データの取得システムを提供する。本発明の取得システムは、真贋判定システム１，２で用いたものと同様の構成を有する再帰反射積層体を用いる真贋判定用画像データの取得システムであり、少なくとも受信手段及び保存手段を備える。
【００４１】
受信手段は、システム内の受信サーバにて再帰反射積層体の画像データを受信する。このとき画像データは、各所の物流拠点や小売店舗、末端消費者個人等において事前に撮像されたものである。画像データの撮像には、発光素子及び撮像素子を有する撮像装置を用いて行われることが好ましい。すなわち、再帰反射積層体に対し、撮像装置の発光素子から再帰反射積層体の表面に向けて直進性の光を照射した場合、再帰反射層からみて発光素子と撮像素子との間の角度が１０度以下となる態様で撮像装置を相対的に配置しつつ撮像素子により再帰反射積層体の画像データが撮像される。そして、画像データが撮像装置から送信されると、システムは受信サーバにて画像データを受信することができる。このとき、撮像装置が多機能携帯通信端末であれば、画像データは携帯通信網やインターネット回線を通じて送信されることになる。
【００４２】
保存手段は、受信サーバにて受信した画像データを真贋判定用画像データとして保存する。すなわち画像データは、これによって表される再帰反射積層体の色彩及び前記パターン形状の有無の少なくとも一方の要素に基づき対象物の真贋判定を行うための真贋判定用画像データとして保存される。ここで、「色彩」は、例えば再帰反射層に直進性の光を照射したとき、その再帰反射光に現れる色相、明度、彩度等が該当する。また「パターン形状」は、例えば直進光が照射された範囲に含まれる透明樹脂層の形態（外観）に相当する。
【００４３】
本発明の取得システムによれば、例えば、各所の物流拠点や小売店舗、末端の消費者個人等が有する汎用の撮像装置で再帰反射積層体を撮像し、その画像データが受信サーバに送信されてくることにより、真贋判定用画像データを効率よく大量に取得し、保存することができる。これにより、保存した個々の真贋判定用画像データを用いて個別に真贋判定を行い、その結果を送信元である個々の撮像装置に通知することが容易になる。したがって、物流拠点や小売店舗をはじめ、末端の消費者個人が専用の設備や装置を保有していなくても、汎用の撮像装置を用いるだけで真贋判定の結果を容易に知ることができる。
【００４４】
また本発明は、対象物の真贋判定用プログラムを提供する。本発明の真贋判定用プログラムは、真贋判定方法１〜３等で用いたものと同様の構成を有する再帰反射積層体を用いて行われる対象物の真贋判定用プログラムであり、少なくとも発光素子、撮像素子、記憶媒体、無線通信機能及び表示画面を有する撮像装置に内蔵されたコンピュータに少なくとも以下のステップを実行させる。
【００４５】
（１）発光素子を起動させるステップ、（２）撮像素子を起動させるステップ、（３）撮像素子により撮像された画像を表示画面に表示させるステップ、（４）発光素子から照射された直進光が再帰反射層の表面に向けて照射された状態で、再帰反射層からみて発光素子と撮像素子との間の角度が１０度以下となる位置関係に再帰反射積層体と撮像装置がある状態で撮像素子により撮像された再帰反射積層体の画像を真贋判定用画像データとして記憶媒体に記憶させるステップ、（５）無線通信機能を用いて、記憶媒体に記憶された真贋判定用画像データを所定の判定処理装置に送信するステップ、及び（６）送信した真贋判定用画像データで表される再帰反射積層体の色彩及び前記パターン形状の有無の少なくとも一方の要素に基づき、判定処理装置で行われた対象物の真贋判定の結果を受信するステップ。
【００４６】
本発明の真贋判定用プログラムは、これを撮像装置にインストールしてそのコンピュータで実行することにより、真贋判定用の画像データの生成、画像データの送信、そして真贋判定結果の受信まで処理を容易に実行することができる。これにより、物流拠点や小売店舗をはじめ、末端の消費者個人が専用の設備や装置を保有していなくても、汎用の撮像装置にプログラムをインストールして実行するだけで、再帰反射積層体を用いた対象物の真贋判定の結果を容易に知ることができる。また、真贋判定を行う機能を判定処理装置の設置箇所（例えばサービスセンター）に集中させることにより、判定基準を高度に維持しつつ、誤判定を少なくすることができる。
【発明の効果】
【００４７】
本発明によれば、特に専用の設備を用いなくても、容易に再帰反射積層体を用いて行われる対象物の真贋判定に資することができる。
【図面の簡単な説明】
【００４８】
【図１】撮像装置を用いて再帰反射積層体を撮像する態様の一例を示す図である。
【図２】撮像時の再帰反射シールと多機能携帯通信端末との相対的な位置関係について説明した図である。
【図３】アプリケーションの動作例（表示内容）を示す図である。
【図４】撮像後においてディスプレイに表示される画面の例を示す図である。
【図５】メールの送信画面の一例を示す図である。
【図６】真贋判定システムや真贋判定用画像データの取得システムとしての全体構成例を概略的に示す図である。
【図７】真贋判定用画像データの取得及び真贋判定の結果を通知するまでの手順例を示したフローチャート（１／２）である。
【図８】真贋判定用画像データの取得及び真贋判定の結果を通知するまでの手順例を示したフローチャート（２／２）である。
【図９】コールセンターで行われる真贋判定の手順例（１）を示すフローチャートである。
【図１０】コールセンターで行われる真贋判定の手順例（２）を示すフローチャートである。
【図１１】「色相」チェックの工程を詳細に示すフローチャートである。
【図１２】「パターン形状」チェックの工程を詳細に示すフローチャートである。
【図１３】教師色相画像の一例を示す図である。
【図１４】コールセンターからの返信メールをユーザ側で受信する場合の手順例を示すフローチャートである。
【図１５】ユーザによる真贋判定の手順例を示すフローチャートである。
【図１６】多機能携帯通信端末において撮影画像ファイルを削除する場合の手順例を示すフローチャートである。
【図１７】コールセンターのスタッフによりブラウザ上で真贋判定を行う場合の手順例を示すフローチャートである。
【図１８】コールセンターからのメール返信時にユーザ側で行われる手順例を示すフローチャートである。
【図１９】ブラウザ上で表示される判定結果画面の一例を示す図である。
【発明を実施するための形態】
【００４９】
以下、本発明の実施形態について図面を参照しながら説明する。なお、以下に挙げる実施形態には、対象物の真贋判定方法としての形態、真贋判定用画像データの取得方法としての形態、対象物の真贋判定システムとしての形態、真贋判定用画像データの取得システムとしての形態、及び真贋判定用プログラムとしての形態が含まれる。
【００５０】
〔撮像態様〕
図１は、撮像装置を用いて再帰反射積層体を撮像する態様の一例を示す図である。この態様では、撮像装置として例えば多機能携帯通信端末１０を使用している。多機能携帯通信端末１０は、例えば携帯電話機としての機能の他に、パーソナルコンピュータとしての機能、情報通信端末としての機能、メディアプレイヤーとしての機能等を備えた電子機器（いわゆるスマートフォン）である。なお、多機能携帯通信端末１０そのものは公知であり、ここではその詳細（ハードウエア構成、オペレーティングシステムの仕様等）についての説明を省略する。また、ここでは多機能携帯通信端末１０を撮像装置の例として挙げているが、撮像装置は一般的な携帯電話機（いわゆるフィーチャーフォン）であってもよい。
【００５１】
多機能携帯通信端末１０は、カメラ２０（撮像素子）及びＬＥＤライト３０（発光素子）を備えている。多機能携帯通信端末１０は、特定のアプリケーションの実行に伴い、カメラ２０で撮像した画像をそのディスプレイ４０に表示することができる。なお、多機能携帯通信端末１０のディスプレイ４０は、例えばタッチセンサを備えた入力インタフェース（ＧＵＩ）としても機能する。
【００５２】
〔再帰反射積層体〕
図１に示される態様では、真贋判定用の再帰反射シール５０が包装体ＰＲに貼付されている。この再帰反射シール５０は、シート状をなす再帰反射積層体の一形態である。また包装体ＰＲは、何らかの製品（電子機器類、書籍類、食器類、文房具類、衣類、医薬品類、衛生製品類等。ただし、これらに限定されない。）を包装した商品の一形態である。ここでは箱形の包装体ＰＲを例に挙げているが、包装体ＰＲの形態は特に限定されない。また、特に商品が包材等で包装されていない状態で再帰反射シール５０が貼付されている態様であってもよい。
【００５３】
ここで挙げたカメラ２０及びＬＥＤライト３０は、多機能携帯通信端末１０の背面に位置している。したがって、ユーザが多機能携帯通信端末１０の背面を包装体ＰＲに向けてカメラ２０で撮像すると、正面のディスプレイ４０にてその画像を視認することができる。このとき、多機能携帯通信端末１０の背面において、カメラ２０とＬＥＤライト３０とは比較的近接して配置されているため、ＬＥＤライト３０から直進性の光（完全な直進光でなくとも、ある程度に直進性の高い光であればよい）を再帰反射シール５０に向けて照射すると、その再帰反射光がカメラ２０にも到達し、再帰反射光を用いた再帰反射シール５０の画像を撮像することできる。したがって、ユーザは特に専用器具を用いなくとも、多機能携帯通信端末１０のディスプレイ４０に表示された画像から、再帰反射シール５０の再帰反射光を確認することができる。以下、この点についてさらに説明する。
【００５４】
図２は、撮像時の再帰反射シール５０と多機能携帯通信端末１０との相対的な位置関係について説明した図である。このうち図２（Ａ）には、再帰反射シール５０の層構成（断面）が拡大して示されている。図２（Ａ）に示される断面は再帰反射シール５０の一部分であり、再帰反射シール５０は全体として、図１に示されるように適宜な大きさ（面積）を有している。また図２（Ｂ）は、再帰反射シール５０（再帰反射層７０）からみて撮像に適したＬＥＤライト３０とカメラ２０との位置関係を模式的に示したものである。
【００５５】
〔層構成〕
図２（Ａ）：再帰反射シール５０は基材層６０を備えており、再帰反射シール５０は全体として、この基材層６０に対して厚み方向にいくつかの層を重ねた積層構造をなしている。基材層６０は、可撓性を有するシート状の材料（例えば一般的なアクリル系樹脂、ウレタン系樹脂、シリコーン系樹脂等）から構成されており、この材料には再帰反射シール５０の使用に適した耐久性・耐候性が備わっている。また、ここでは基材層６０を透明性の樹脂とする。
【００５６】
また再帰反射シール５０は、基材層６０の一方の面（図２でみて上側の面）に積層された再帰反射層７０を有している。再帰反射層７０は、例えばガラスビーズ７２の分布層、光反射層７４及び微小球固定層７６から構成されている。
【００５７】
再帰反射層７０は、ガラスビーズ７２の分布層、微小球固定層７６及び光反射層７４からなる。微小球固定層７６には、ガラスビーズ７２が表面の一部分を露出させた状態で、下部分が埋め込まれるようにして保持されている。微小球固定層７６には、ガラスビーズ７２を良好に保持（担時）できる材料（例えば一般的なアクリル系粘着剤、ウレタン系粘着剤、シリコーン系粘着剤等）が用いられている。
【００５８】
ガラスビーズ７２は、球状のガラス微粒子（例えば直径５０μｍ程度）であり、微小球固定層７６には基材層６０の一面に沿う方向に多数のガラスビーズ７２が分布して保持されている。なお、ガラスビーズ７２は相互に密集した状態で分布していてもよいし、適度な間隔をおいて分布していてもよい。いずれにしても、ガラスビーズ７２は微小球固定層７６内に埋設されておらず、表面の一部分を露出させたオープンタイプとなっている。
【００５９】
光反射層７４は、ガラスビーズ７２と微小球固定層７６との間にて、ガラスビーズ７２の下側部分の外面を被覆するようにして形成されている。この光反射層７４は、再帰反射層７０において再帰反射性を発揮するための反射面を構成する。なお、このような光反射層７４を設けずに、微小球固定層７６の材料そのものに反射性を持たせてもよい。
【００６０】
再帰反射シール５０の表層には、ガラスビーズ７２の分布層を覆う位置に透明樹脂層９０が形成されている。図２に示されているように、透明樹脂層９０はガラスビーズ７２の分布層を部分的に覆う状態で形成されており、透明樹脂層９０が形成されていない領域ではガラスビーズ７２の表面が露出している。再帰反射シール５０の上面側からみて、透明樹脂層９０は何らかの絵柄や文字、図形、記号等を象ったパターン形状をなしている。ただし、透明樹脂層９０のパターン形状は、自然光（拡散光）の下ではほとんど視認されない。透明樹脂層９０が設けられた部分では、再帰反射層７０での焦点位置をずらし、透明樹脂層９０が設けられた部分と設けられていない部分との再帰反射率を異ならせ、この再帰反射率の違いにより、直進性の光を照射したときに透明樹脂層９０のパターン形状を確認することができる。具体的には、透明樹脂層９０のパターン形状が他の部分に比べて黒く視認される。
【００６１】
透明樹脂層９０に用いる樹脂の例としては、ポリスチレン系樹脂、ポリエステル系樹脂、アクリル系樹脂、シリコーン樹脂、フッ素樹脂、ポリアミド系樹脂、ポリビニルアルコール系樹脂、ポリウレタン系樹脂、ポリオレフィン系樹脂、ポリカーボネート樹脂、ポリスルホン樹脂、などが挙げられる。これらの樹脂はガラスビーズとの密着力が比較的弱いため、ガラスビーズから透明樹脂層９０が剥がれ落ち易く、再帰反射シール５０に不自然で不正な何らかの力が加わると、透明樹脂層９０が剥離する。特に再帰反射シール５０のガラスビーズ表面を擦るような力が加わった場合は、透明樹脂層９０が剥離する。したがって、透明樹脂層９０を調べることで、再帰反射シール５０に意図的な操作が加えられ、不正に剥がそうとしたかを推察することができる。
【００６２】
また、基材層６０の他方の面（図２でみて下側の面）には粘着層８０が積層されており、その粘着性により「シール」としての機能が発揮されている。再帰反射シール５０は、粘着層８０を介して包装体ＰＲやその他の対象物に貼付される。
【００６３】
さらに基材層６０の他方の面には、粘着層８０との間に印刷層９５が形成されている。この印刷層９５は、例えば基材層６０の他方の面に印刷して形成されたものであり、再帰反射シール５０の上面側からみて、印刷層９５は全体として絵柄や文字、図形、記号等を象ったパターン形状をなしている。なお、印刷層９５のパターン形状は、透明樹脂層９０のパターン形状とは異なるものであり、印刷層９５のパターン形状は、自然光（拡散光）の下において、再帰反射シール５０の上面側から再帰反射層７０及び基材層６０を透過して視認可能となっている。
【００６４】
また、基材層６０の他方の面と粘着層８０の間に、剥離崩壊層を設けてもよい。剥離崩壊層は、例えば複数の薄い層膜が互いに弱い接着力で積層された構成であり、横方向からのせん断力が加わると、界面剥離が容易に生じて層膜間が解離する。この場合、一度貼った再帰反射シール５０を剥がそうとしたとき、層膜間が解離することで、剥離後、包装体ＰＲに痕跡（例えば、「ＶＯＩＤ」の文字）を残すことができる。剥離崩壊層としては、例えばリンテック株式会社製改ざん防止用ラベル素材（Ｓｕｐｅｒ  Ｓｔｉｋ）を使用することができる。
【００６５】
〔位置関係〕
次に、再帰反射シール５０の撮像時における多機能携帯通信端末１０の配置（位置関係）について説明する。
【００６６】
上記のように、多機能携帯通信端末１０の背面において、カメラ２０とＬＥＤライト３０とは相互に近接した位置にある。このとき、ＬＥＤライト３０から直進性の光を再帰反射シール５０に向けて照射すると、再帰反射層７０からの再帰反射光Ｆは、基本的に光源であるＬＥＤライト３０に向かって直進してくるが、その一部の再帰反射光Ｆ’はカメラ２０の受光部にも到達する。このような再帰反射光Ｆ’は、例えばＬＥＤライト３０からの直進光がある程度の角度をもって放射状に照射されることに起因する。
【００６７】
本実施形態では、再帰反射光Ｆ’をカメラ２０で好適に受光できる多機能携帯通信端末１０と再帰反射シール５０との相対的な位置関係を以下のように設定している。すなわち、再帰反射シール５０（再帰反射層７０）に対し、ＬＥＤライト３０から直進性の光を照射した場合、再帰反射層７０からみてＬＥＤライト３０とカメラ２０との間になす角θが１０度以下となる態様で多機能携帯通信端末１０と再帰反射シール５０とを相対的に配置するものとする。
【００６８】
なお、図２（Ａ）では、再帰反射現象を説明するために再帰反射シール５０に対して斜め方向から直進光を照射しているが、本実施形態における撮像時のＬＥＤライト３０とカメラ２０との好適な位置関係は以下のようになる。
【００６９】
図２（Ｂ）：すなわち、角θは、あくまで再帰反射層７０からみてカメラ２０とＬＥＤライト３０との間になす角度を意味するものとする。したがって、例えば図２（Ｂ）に示す一点鎖線をＬＥＤライト３０とカメラ２０の中心線であるとすると、この中心線を再帰反射シール５０に向けて垂直に降ろしたとき、その垂線と再帰反射層７０の交点を中心に、ＬＥＤライト３０とカメラ２０の間になす角をθとする。
【００７０】
このとき、ＬＥＤライト３０とカメラ２０との間になす角θは、主に多機能携帯通信端末１０から再帰反射シール５０までの距離に依存し、距離が大きくなると角θは小さくなり、逆に距離が小さくなると角θは大きくなる。したがって、実際の撮像時にユーザは、ＬＥＤライト３０からの光が再帰反射シール５０に届く範囲内で多機能携帯通信端末１０からの距離を増減し、上記の位置関係が得られるように調整することになる。
【００７１】
また角θについては、ＬＥＤライト３０からの再帰反射層７０への入射光の角度と反射光の角度の合計と理解することもできる。入射光の角度と反射光の角度の合計が１０度以下となるように多機能携帯通信端末１０を配置して撮像を行えば、真贋判定に適した画像が得られる。一方、角θが１０度以上となった場合、再帰反射してきた光がカメラ２０でうまく捉えられず、輝度の低い画像となり、誤判断の原因となりやすい。多機能携帯通信端末１０にもよるが、再帰反射層７０から概ね１５ｃｍ以上離して配置すると、入射光の角度と反射光の角度の合計が１０度以下とすることができる。
【００７２】
〔アプリケーション〕
図３は、多機能携帯通信端末１０にインストールされたアプリケーションの動作例（表示内容）を示す図である。このうち、図３（Ａ）は本実施形態で用いるアプリケーションの使用時における動作例を示し、図３（Ｂ）は一般的なアプリケーションの使用時における動作例を示す。
【００７３】
〔本実施形態のアプリ使用時〕
図３（Ａ）：本実施形態で用いるアプリケーションは、再帰反射積層体を用いた対象物の真贋判定用プログラムの一例であり、便宜上、以下では「真贋判定用アプリ」と呼称する。多機能携帯通信端末１０は、内蔵する記憶媒体（物理メモリ等）に真贋判定用アプリを事前にインストールしておくことで、所望により真贋判定用アプリを実行することができる。
【００７４】
真贋判定用アプリを実行すると、多機能携帯通信端末１０においてＬＥＤライト３０及びカメラ２０がそれぞれ起動する。このときＬＥＤライト３０は、例えば常時点灯状態となる。また、カメラ２０の起動に伴い、多機能携帯通信端末１０のディスプレイ４０には、図３（Ａ）に示されるカメラ画像とともに、真贋判定用アプリのＧＵＩが表示される。なお、添付の図面にはグレースケール画像で表現しているが、撮影画像はフルカラー画像である。
【００７５】
ＧＵＩには、例えばズームスイッチＺＳやサイズ変更ボタンＢ１、リスト表示ボタンＢ２等が含まれる。また真贋判定用アプリは、例えばディスプレイ４０の略中央位置に撮像補助用のガイドラインＧＬを表示させる。ユーザがディスプレイ４０上のサイズ変更ボタンＢ１をタッチ操作（いわゆるタップ）すると、その都度、ガイドラインＧＬの大きさが数段階に変化する。
【００７６】
ガイドラインＧＬは、再帰反射シール５０の撮像に適した大きさの目安となるものであり、ユーザは、ガイドラインＧＬが所望の大きさになるまでサイズ変更ボタンＢ１をタッチ操作し、ディスプレイ４０上で再帰反射シール５０がガイドラインＧＬの内側に収まるように多機能携帯通信端末１０の位置を調整する。また、ユーザは適宜、ズームスイッチＺＳを横方向へなぞるように操作（いわゆるフリック）することで、カメラ２０の撮像範囲を拡大又は縮小（ズームイン／ズームアウト）させることができる。
【００７７】
また、上述した再帰反射シール５０と多機能携帯通信端末１０との最適な位置関係（角θが１０度以下）を保つようにすることで、ユーザは、ディスプレイ４０上で再帰反射シール５０からの再帰反射光を視認することができる。なお、このときディスプレイ４０には、上述した透明樹脂層９０のパターン形状が低輝度領域として表示されている。それ以外の高輝度領域は再帰反射光によるものであり、このとき再帰反射層７０からの反射特性に応じて、高輝度領域内には特有の色彩が現れることになる。なお色彩は、ＬＥＤライト３０からの光照射角によって変化することがある。
【００７８】
上記のように、ディスプレイ４０上で再帰反射シール５０がガイドラインＧＬの内側に収まり、再帰反射シール５０からの再帰反射光（透明樹脂層９０のパターン形状）が適切に視認できることを確認した上で、ユーザがディスプレイ４０（例えばガイドラインＧＬの内側）をタップすると、カメラ２０による静止画像の記録（撮像）が行われる。記録された静止画像は、画像データの形式で多機能携帯通信端末１０の記録媒体に保存される。
【００７９】
〔一般アプリ使用例〕
図３（Ｂ）は、本実施形態の真贋判定用アプリ使用時における動作例との比較例として、一般用途のカメラアプリの使用例を示したものである。例えば多機能携帯通信端末１０で一般的用途のカメラアプリを使用した場合、ＬＥＤライト３０を発光（フラッシュ）させて撮像させないと、得られる画像は自然光の下で再帰反射シール５０を視認したものとなる。この場合の画像には、上記の印刷層９０によるパターン形状が現れている。例えＬＥＤライト３０を発光（フラッシュ）させたとしても、常時点灯しないため、撮像後の画像を事前に確認できず、何度も撮り直しすることになり、現実的ではない。
【００８０】
〔真贋判定用アプリの動作例（続き）〕
引き続き、真贋判定用アプリの動作例について説明する。図４は、撮像後においてディスプレイ４０に表示される画面の例を示す図である。
【００８１】
〔サムネイル表示〕
図４（Ａ）：真贋判定用アプリを用いて撮像を行うと、これまでに保存された画像の一覧が縮小された状態でディスプレイ４０に表示（いわゆるサムネイル表示）される。なお、図３（Ａ）に示す状態でリスト表示ボタンＢ２がタップされた場合にもこの画面に遷移する。
【００８２】
サムネイル表示画面において、ディスプレイ４０の上部領域には、ＧＵＩとしてのタブＴ１，Ｔ２，Ｔ３が表示されている。このうち、「ＡＬＬ」と表示されたタブＴ１は、これまでに真贋判定用アプリを用いて撮像した全ての画像をサムネイル表示する場合に用いられる。次の「ＮＯＴ  ＳＥＮＤ」と表示されたタブＴ２は、未送信の画像をサムネイル表示する場合に用いられ、「ＳＥＮＤＥＤ」と表示されたタブＴ３は、送信済みの画像をサムネイル表示する場合に用いられる。なお、画像の送信については後述する。
【００８３】
また、ディスプレイ４０の下部領域には、各種の機能ボタンＢ３〜Ｂ６が表示されている。このうち、「Ｍａｉｌ」と表示された機能ボタンＢ３は、選択した画像を送信（送信メールに添付）する場合に用いられる。次の「Ｖｉｅｗ」と表示された機能ボタンＢ４は、選択した画像をディスプレイ４０に全体表示する場合に用いられる。また、「Ｃａｍｅｒａ」と表示された機能ボタンＢ５は、現在の画面から撮像画面（図３（Ａ））に遷移する場合に用いられる。そして、「Ｄｅｌｅｔｅ」と表示された機能ボタンＢ６は、選択した画像を消去する場合に用いられる。
【００８４】
ここで、図４（Ａ）の画面において、ユーザがいずれかの画像をタップすると、その画像を選択したことになる。選択された画像には、左下にチェックマークが付される等、選択されていることがわかるように表示される。いずれの画像も選択されていない場合、機能ボタンＢ５以外は操作無効（グレイアウト）の状態となっている。
【００８５】
図４（Ｂ）：例えば、画像Ｐ１を選択した状態でユーザが「Ｖｉｅｗ」の機能ボタンＢ４をタップすると、選択した画像Ｐ１がディスプレイ４０に全体表示される。なお、図４（Ａ）の画面でユーザが画像Ｐ１をダブルタップした場合も全体表示することができる。
【００８６】
全体表示の画面において、ディスプレイ４０の下部領域には、「Ｃａｎｃｅｌ」の機能ボタンＢ７が表示されている。ユーザが機能ボタンＢ７をタップすると、全体表示がキャンセルされてサムネイル表示画面に戻ることになる。
【００８７】
〔画像データの送信〕
図５は、メールの送信画面の一例を示す図である。再帰反射シール５０を撮像して得た画像Ｐ１は、その画像データをメールに添付した状態で送信することができる。
【００８８】
例えば、図４（Ａ）のサムネイル表示画面（又は「ＮＯＴ  ＳＥＮＤ」タブＴ２のタップから遷移した未送信画像のサムネイル表示画面）で画像Ｐ１をユーザが選択し、「ＭＡＩＬ」の機能ボタンＢ３をタップすると、真贋判定用アプリが別のメールクライアント（メールアプリ）を呼び出して起動させ、メールクライアント上で画像Ｐ１を添付した送信メールを自動生成する。
【００８９】
このとき、既に送信先のメールアドレス（Ｔｏ：）及び件名（Ｓｕｂｊｅｃｔ：）にはそれぞれデフォルトの情報が自動入力されている。また、メール本文は未入力（空）であるが、添付ファイルには画像Ｐ１の画像データが自動入力されている。添付ファイルの内容である画像Ｐ１は、図５に示すように送信メール画面にてプレビュー表示されるので、ここでもユーザは画像Ｐ１の内容を確認することができる。
【００９０】
この後、ユーザが例えば「Ｓｅｎｄ」のボタン（ＧＵＩ）をタップすると、メールクライアントがメール送信動作を行う。送信後はメールクライアントの送信済み画面に遷移するか、もしくは、真贋判定用アプリのサムネイル表示画面に復帰する。一方、ユーザが「Ｃａｎｃｅｌ」のボタンをタップした場合、メールクライアントが未送信メールを破棄して終了し、真贋判定用アプリのサムネイル表示画面に復帰する。
【００９１】
以上の動作例は、多機能携帯通信端末１０を所持するエンドユーザ（顧客）をはじめ、包装体ＰＲの物流拠点や小売店舗の担当者によって実行可能であるが、本実施形態には、上記のように多機能携帯通信端末１０を含めた真贋判定システムや真贋判定用画像データの取得システムとしての各種態様が含まれる。以下、真贋判定システム及び取得システムの構成例について説明する。
【００９２】
〔全体構成例〕
図６は、真贋判定システムや真贋判定用画像データの取得システムとしての全体構成例を概略的に示す図である。
【００９３】
〔顧客〕
システムは、顧客にて所持されている多機能携帯通信端末１０を構成要素とする。ここでいう「顧客」には、包装体ＰＲの最終消費者であるエンドユーザのみならず、包装体ＰＲを扱う物流拠点や小売店舗等の担当者も含むものとする。多機能携帯通信端末１０には、上記の真贋判定用アプリがインストールされているものとする。
【００９４】
〔センター〕
またシステムは、センターにて管理・運用されているメールサーバ１０２やアプリケーションサーバ１０４を構成要素とする。ここでいう「センター」は、例えばシステムの運用者が駐在するデータセンターやコールセンター、カスタマーセンター等が該当する。またセンターには、メールサーバ１０２やアプリケーションサーバ１０４の他に、例えば複数台の作業端末１０８が設置されており、それぞれにオペレータ（スタッフ）が割り当てられている。メールサーバ１０２は、アプリケーションサーバ１０４や作業端末１０８とそれぞれＬＡＮ等で接続され、データの授受を行うことができる。
【００９５】
〔通信インフラ〕
顧客とセンターとの間は、インターネット回線１００等の通信インフラを通じて双方向通信が可能である。なお、多機能携帯通信端末１０が専用通信網（３Ｇ回線等）に接続可能である場合、そのような専用通信網が通信インフラとして利用される。
【００９６】
次に、上記のシステムを用いて実現される真贋判定方法及び真贋判定用画像データの取得方法の各種工程について説明する。また、以下の説明を通じて、本実施形態のシステムが有する各種の機能的要素（手段）の構成についても明かとなる。
【００９７】
図７及び図８は、真贋判定用画像データを取得し、また、その取得した画像データから真贋判定を行ってその結果を通知したりするまでの手順例を示したフローチャートである。以下、手順例に沿って説明する。
【００９８】
ステップＳ１：多機能携帯通信端末１０において、ユーザの操作により真贋判定用アプリを起動（実行）する。真贋判定用アプリは、多機能携帯通信端末１０のコンピュータに以下のステップを実行させる。
【００９９】
ステップＳ２：真贋判定用アプリは、多機能携帯通信端末１０のＬＥＤライト３０を起動する。このときＬＥＤライト３０は、常時点灯モードとなる。
ステップＳ３：また真贋判定用アプリは、多機能携帯通信端末１０のカメラ２０を起動する。
ステップＳ４：真贋判定用アプリは、カメラ２０によるキャプチャイメージ（リアルタイム画像）をディスプレイ４０に表示する。このときディスプレイ４０には、上述したガイドラインＧＬや各種ＧＵＩが合わせて表示される。
【０１００】
以下のステップＳ５，Ｓ６は、再帰反射画像を視認しやすくする目的で必要に応じて行われる。
ステップＳ５：すなわち、ユーザの操作に応じて、ガイドラインＧＬの調整が適宜行われる。
ステップＳ６：またユーザの操作に応じて、ズームスイッチＺＳを用いたカメラ２０のズーム調整が適宜行われる。
特に図示していないが、真贋判定用アプリは、合わせてカメラ２０のフォーカスを自動調整する。
【０１０１】
〔撮像工程〕
ステップＳ７：ユーザの操作（ディスプレイ４０のタップ）に応じて、再帰反射シール５０の撮影（カメラ２０による撮像）が行われる。
ステップＳ８：真贋判定用アプリは、タップを検知したタイミングの撮影データを多機能携帯通信端末１０のメインメモリ（記憶媒体）に展開し、これを一時的に保存する。なお、ここでいう「撮影データ」は、カメラアプリ専用のデータ形式（ファイルフォーマット）を有する。
ステップＳ９：また真贋判定用アプリは、撮影データをディスプレイ４０に全体表示する。
ステップＳ１０：合わせて真贋判定用アプリは、ディスプレイ４０に保存確認ダイアログを表示する。保存確認ダイアログには、例えば「保存しますか？」等の問いかけ文とともに、「ＯＫ」及び「Ｃａｎｃｅｌ」のボタン（ＧＵＩ）が含まれる。
【０１０２】
ステップＳ１１：ユーザの行為として、撮影データを保存するか否かの判断が行われる。判断の結果は、保存確認ダイアログの「ＯＫ」を選択するか、あるいは「Ｃａｎｃｅｌ」を選択するかによって示される。真贋判定用アプリは、先の保存確認ダイアログで「Ｃａｎｃｅｌ」が選択された場合、ステップＳ４の手順に戻る。
ステップＳ１２：ユーザが「ＯＫ」を選択する場合、ＧＵＩとしての「ＯＫ」をユーザがタップ操作する。
【０１０３】
ステップＳ１３：「ＯＫ」がタップされたことを受けて、真贋判定用アプリは、メインメモリに展開した撮影データを例えばＪＰＥＧ形式の画像データに変換する。変換後のデータ形式は、ユーザが画像として視認可能であればよいため、ＪＰＥＧ形式以外（例えばＢＭＰ，ＰＮＧ，ＧＩＦ等）でもよい。
【０１０４】
ステップＳ１４：真贋判定用アプリは、画像データをフラッシュメモリやハードディスク等の永続性記憶装置に保存する。あるいは、ここで真贋判定用アプリが多機能携帯通信端末１０の通信機能をバックグラウンドで呼び出し、ネットワーク上のストレージ（クラウド上のファイルサーバ）に接続して、そこに画像データをアップロードしてもよい。以下、ここで保存したファイルを「撮影画像ファイル」とする。また、ここで真贋判定用アプリはサムネイル画像も作成し、これを保存する。
【０１０５】
ステップＳ１５：続いて真贋判定用アプリは、撮影日時に関する情報を撮影画像ファイルに付加するか、もしくは、そのファイルパスに日時情報を含める処理を行う。あるいは、真贋判定用アプリが任意の画像ファイルパスと、撮影日時の紐付けを永続性記憶装置に保存することとしてもよい。
ステップＳ１６：そして、真贋判定用アプリは、画像ファイルパスをキーにして、送信ステータスフラグ（「送信」か「未送信」のどちらか一方）のフラグを「未送信」の状態にし、そのフラグ情報を永続性記憶装置に保存する。
【０１０６】
〔図８：接続記号Ａ→Ａ〕
ステップＳ１７：次に真贋判定用アプリは、画像閲覧機能を呼び出す。
ステップＳ１８：また真贋判定用アプリは、永続性記憶装置に保存されている全撮影画像ファイルの送信ステータスフラグを参照し、画像ファイルリストを作成する。ここで作成するリストの種類は、「全て」、「未送信のみ」、「送信済み」の３つである。真贋判定用アプリが各リストを一覧表示する場合、当該リストに記載された撮影画像ファイルのサムネイルを一覧表示する。ここでは便宜上、デフォルトの一覧表示リストを「未送信のみ」とする。
【０１０７】
ステップＳ１９：デフォルトでリストを一覧表示しつつ、真贋判定用アプリは、次にいずれのリストを選択して一覧表示するかを、ユーザ操作に応じて判断する。ここでは、上述した「ＡＬＬ」，「ＮＯ  ＳＥＮＤ」，「ＳＥＮＤＥＤ」のタブＴ１，Ｔ２，Ｔ３（図４（Ａ）参照）のタップ操作に応じて、以下の分岐を行う。すなわち、ユーザが「全て」を選択（タブＴ１をタップ）したらステップＳ２０へ分岐し、「未送信のみ」を改めて選択（タブＴ２をタップ）したらステップＳ２１に分岐し、「送信済み」を選択（タブＴ３をタップ）したらステップＳ２２へ分岐する。
【０１０８】
〔全て〕
ステップＳ２０：真贋判定用アプリは、全ての撮影画像ファイルのサムネイルリストを一覧表示する（図４（Ａ）等）。
【０１０９】
〔未送信のみ〕
ステップＳ２１：真贋判定用アプリは、撮影画像ファイルのうち、送信ステータスフラグが「未送信」である撮影画像ファイルのサムネイルリストを一覧表示する。
【０１１０】
〔送信済み〕
ステップＳ２２：真贋判定用アプリは、撮影画像ファイルのうち、送信ステータスフラグが「送信済み」である撮影画像ファイルのサムネイルリストを一覧表示する。
【０１１１】
ステップＳ２３：真贋判定用アプリは、ユーザの操作に応じて撮影画像ファイルを選択する。
【０１１２】
ステップＳ２４：次に真贋判定用アプリは、選択した撮影画像ファイルに対する機能をさらにユーザ操作に応じて選択する。このとき選択可能な機能には、例えば以下のものが含まれる。
（１）「コールセンターによる真贋確認」（メール機能）
（２）「目視による真贋確認」（ビュー機能）
（３）「撮影画像ファイルの削除」（削除機能）
いずれの機能を選択するかは、ユーザが上述したボタンＢ３，Ｂ４，Ｂ６のいずれをタップしたかに応じて判断される。その結果、ユーザが上記（１）のメール機能を選択（ボタンＢ３をタップ）したらステップＳ２６に移行し、上記（２）のビュー機能を選択（ボタンＢ４をタップ）ステップＳ３２に移行し、上記（３）の削除機能を選択（ボタンＢ６をタップ）したらステップＳ３３に移行する。
【０１１３】
〔メール機能選択時〕
ステップＳ２６：真贋判定用アプリは、メールクライアント（メールアプリ）を呼び出して起動し、メールクライアントによってメール送信編集画面が表示される（図５参照）。この場合、上述したように、宛先には指定した（コールセンターの）送信アドレスが自動入力される。また、タイトルには指定したタイトルが自動入力され、メール本文には選択した撮影画像ファイル（ＪＰＥＧ形式の画像データ）が自動添付される。
ステップＳ２７：真贋判定用アプリは、さらにユーザ操作に応じて「Ｓｅｎｄ（送信）」又は「Ｃａｎｃｅｌ（ＮＧ）」の判断を行う。その結果、「Ｓｅｎｄ（送信）」の判断であればステップＳ２８に移行し、「Ｃａｎｃｅｌ（ＮＧ）」の判断であればステップＳ２３に戻る。
【０１１４】
〔送信工程〕
ステップＳ２８：メールクライアントは、多機能携帯通信端末１０の通信機能を用いてメールを送信する。ここではＳＭＴＰを用いて、設定されたメールサーバ１０２にメールが転送されることになる。
【０１１５】
ステップＳ２９：真贋判定用アプリは、選択した撮影画像ファイル（画像データ）から「未送信」のフラグを消去し、代わりに「送信済み」のフラグを付加する。
【０１１６】
〔判定工程〕
ステップＳ３０：以後は別の工程（コールセンターでの真贋判定）に遷移し、コールセンターでの真贋判定が実施される（詳細は後述）。この場合、ユーザはコールセンターからの真贋判定の結果が書かれたメールを待つこととなる。
【０１１７】
〔通知工程〕
ステップＳ３１：コールセンターでの真贋判定が終了すると、さらに次の工程（コールセンターからのメール返信）に遷移し、コールセンターからのメール返信が行われる（詳細は後述）。このときユーザは、メールで真贋判定の結果の通知を得ることができる。
【０１１８】
〔ビュー機能選択時〕
ステップＳ３２：この場合、別の工程（ユーザによる真贋判定）に遷移する（詳細は後述）。
【０１１９】
〔削除機能選択時〕
ステップＳ３３：この場合、別の工程（画像ファイルを削除）に遷移する（詳細は後述）。
【０１２０】
〔コールセンターでの真贋判定（スタッフ判断）〕
図９は、コールセンターで行われる真贋判定の手順例（１）を示すフローチャートである。この手順例（１）では、コールセンター駐在のスタッフにより真贋判定がなされるものとする。
【０１２１】
〔受信工程１〕
ステップＳ３４：ユーザの設定したメールサーバから、コールセンターのメールサーバ１０２にＳＭＴＰを用いてメールが送付されてくると、そのメールをメールサーバ１０２にて受信する。
【０１２２】
ステップＳ３５：ここでコールセンターのメールサーバ１０２は、送信元（ユーザ）に対し、受信済みであることを表す自動返信メールを相手のメールサーバに向けてＳＭＴＰで送信する。
【０１２３】
〔受信工程２〕
ステップＳ３６：コールセンターのスタッフによる操作に応じて、作業端末１０８のメールクライアントを立ち上げ、ＰＯＰ３を使ってメールサーバ１０２からユーザのメールを受信する。
【０１２４】
〔判定工程〕
スタッフは、ユーザから送信された画像データの色彩、絵柄（パターン形状の有無）を確認し、対象物について真贋判定を行う。なおスタッフには、予め真正品の場合に再帰反射シール５０から得られる再帰反射画像の教師データが了知されている。
【０１２５】
〔通知工程〕
ステップＳ３７：スタッフは、作業端末１０８を用いて判定結果を送信元（ユーザ）に対する返信メールに入力する。
ステップＳ３８：真贋判定の結果を表す返信メールは、作業端末１０８のメールクライアントから送信される。返信メールは、コールセンターのメールサーバ１０２からＳＭＴＰにより、送信元（ユーザのメールアドレス）に送信される。
【０１２６】
〔コールセンターでの真贋判定（自動判断）〕
次に図１０は、コールセンターで行われる真贋判定の手順例（２）を示すフローチャートである。この手順例（２）では、コールセンターのアプリケーションサーバ１０４（判定処理装置）により自動で真贋判定がなされるものとする。また、ここではコールセンターにおいて、真贋判定用画像データの自動取得が行われる。
【０１２７】
コールセンターで行われる自動判断の前提として、多機能携帯通信端末１０の真贋判定用アプリが提供するガイドラインＧＬを固定とし（ユーザによる大小のサイズ変更は認めない）、ユーザはその固定されたガイドラインＧＬの通りに再帰反射シール５０を撮影していることとする。
【０１２８】
〔受信工程〕
ステップＳ３４’：メールサーバ１０２により、ユーザからのメールを受信する。
ステップＳ３５’：そして、メールサーバ１０２から送信元（ユーザ）へ、受信済みの自動返信メールを送信する。
ステップＳ４１：メールサーバ１０２のメールボックスからアプリケーションサーバ１０４にメール添付画像のコピーが渡され、アプリケーションサーバ１０４上の真贋判定プログラムがメール添付画像を参照する。これ以降の手順は、真贋判定プログラムの実行に伴って進行する。
【０１２９】
ステップＳ４１ａ：アプリケーションサーバ１０４は、メール添付画像について彩度がある画像か、彩度が無い画像かを判断する。彩度の閾値は予めアプリケーションサーバ１０４に設定されており、メール添付画像が閾値以上の彩度の値を有する場合、アプリケーションサーバ１０４は次のステップＳ４２以降に進む。これに対し、メール添付画像が閾値以上の彩度の値を有しない場合、アプリケーションサーバ１０４はステップＳ３７’に進み、判定結果として「画像彩度不足です」等の内容を返信メールに入力する。
【０１３０】
以下、メール添付画像を「彩度がある画像」と判断した場合の手順について説明する。
〔保存工程〕
ステップＳ４２：アプリケーションサーバ１０４はメール添付画像を解析し、メインメモリに画像データを展開する。なお、このときアプリケーションサーバ１０４は、例えばハードディスク等の永続性記憶装置に画像データを真贋判定用画像データとして保存することができる。
【０１３１】
〔判定工程〕
ステップＳ４３：アプリケーションサーバ１０４は、メインメモリに展開した画像データ（ＲＧＢ）の全画素値を色相の値に変換した色相画像データを作成する。ここでは色相に変換する場合を記載するが、明度（輝度）や彩度の値に変換してもよい。また、彩度がない画像（真っ白・真っ黒の画像）は色相が出ないため除外する。
【０１３２】
以下では、色相での判定とパターン形状での判定について説明するが、本実施形態ではどちらか一方の判定だけを行ってもよいし、両方の判定を行ってもよい。いずれについて判定を行うかは、真贋判定プログラム上で予め設定しておくことができる。
【０１３３】
ステップＳ４３ａ：アプリケーションサーバ１０４は、色相のチェック（色相での判定）が予め設定されているか否か判断する。色相をチェックする設定であればステップＳ４３ｂの工程に進み、色相をチェックしない設定であればステップＳ４３ｃに進む。以下、色相をチェックする場合について説明する。
【０１３４】
〔色相での判定〕
図１１は、「色相」チェックの工程（ステップＳ４３ｂ）を詳細に示すフローチャートである。
ステップＳ４８：アプリケーションサーバ１０４は、色相画像データの中心領域の色相の最頻値を求める。中心領域を判定に用いる理由は、仮に中心領域でない周辺領域を判定に用いるとすると、周辺領域では色相の変化が大きく、最頻値が適切な値とならないおそれがあるためである。
ステップＳ４９：次にアプリケーションサーバ１０４は、最頻値が一定の範囲に収まることを確認する。ここでは、最頻値が一定の範囲内で収まる場合を真とする。一定の範囲内とは、光照射角の変化により色相が変化するが、その際の最頻値として取り得る値を指す。この範囲は事前に取得しておくものとする。
【０１３５】
ステップＳ４３ｃ：ここでは、アプリケーションサーバ１０４はパターン形状のチェック（パターン形状での判定）が予め設定されているか否か判断する。そして、パターン形状をチェックする設定であればステップＳ４３ｄの工程に進み、パターン形状をチェックしない設定であればステップＳ３７’に進む。以下、パターン形状をチェックする場合について説明する。
【０１３６】
〔パターン形状での判定〕
図１２は、「パターン形状」チェックの工程（ステップＳ４３ｄ）を詳細に示すフローチャートである。また図１３は、教師色相画像の一例を示す図である。
ステップＳ４４：アプリケーションサーバ１０４は、教師色相画像を元に、教師色相画像データをメインメモリに展開する。教師色相画像は、事前に作られた比較用の色相画像（マスター）である。教師色相画像は、例えば図１３に示すように、真贋判定用の真（Ｔｒｕｅ）画像のマーク部分を切り出した画像である。教師色相画像は、色相が変化するマーク部分などが望ましい。つまり、何も描かれていない、色相の変化に乏しい画像は教師色相画像には適していない。
【０１３７】
ステップＳ４５：アプリケーションサーバ１０４は、複数の教師色相画像を用意する。用意する画像としては、色相画像データの中心領域の色相の値の最頻値が異なるものや、真贋判定用の真（Ｔｒｕｅ）画像の異なるマーク部分を切り出したものが挙げられる。
ステップＳ４６：アプリケーションサーバ１０４は、上記の教師色相画像データをテンプレートとして、テンプレートマッチングを行う。テンプレートマッチングは、教師色相画像データの種類の回数分実施するものとする。例えば、教師色相画像データが１０種類であれば、各種類別にテンプレートマッチングを１０回実施する。
【０１３８】
〔テンプレートマッチング方法〕
ここで、テンプレートマッチングの方法としては、輝度値の代わりに色相を用いたＳＳＤなどの手法がある。以下、この点について説明する。
テンプレートの幅をｗｉｄｔｈ，高さをｈｅｉｇｈｔとし、画像データを展開したメモリ空間上でテンプレートの座標（ｘ，ｙ）の色相をＨ１（ｘ，ｙ）、それと対になる画像の座標（ｘ，ｙ）の色相をＨ２（ｘ，ｙ）としたとき、
ｆｕｎｃ（ｘ，ｙ）｛
ｉｆ（｜Ｈ１（ｘ，ｙ）−Ｈ２（ｘ，ｙ）｜＜１８０）：
ｒｅｔｕｒｎ（（Ｈ１（ｘ，ｙ）−Ｈ２（ｘ，ｙ））＾２）；
ｅｌｓｅ：
ｒｅｔｕｒｎ（（３６０−｜Ｈ１（ｘ，ｙ）−Ｈ２（ｘ，ｙ）｜＾２）；
｝
Ｒｓｓｄ＝ΣΣｆｕｎｃ（ｘ，ｙ）
となり、Ｒｓｓｄが小さい値ほど、両者は似ている画像と言うことができる。
【０１３９】
ステップＳ４７：アプリケーションサーバ１０４は、以上の処理をテンプレートの全種類に対して行う。そして、閾値をｔｈとおいたとき、Ｒｓｓｄ＜ｔｈとなるケースがあれば、その画像データを真（Ｔｒｕｅ）と判断する。したがって、教師色相画像データとテンプレートマッチングしたときの差異が閾値未満となる箇所が存在すれば、その画像データの基となった再帰反射シール５０（又はこれを貼付した包装体ＰＲ）が真正品であると判断できる。
【０１４０】
一方、アプリケーションサーバ１０４は、Ｒｓｓｄ＜ｔｈとならないケースがあれば、その画像データを偽（Ｆａｌｓｅ）と判断する。この場合、その画像データの基となった再帰反射シール５０（又はこれを貼付した包装体ＰＲ）の真正に疑義が生じることになる。
【０１４１】
〔通知工程〕
ステップＳ３７’：アプリケーションサーバ１０４は、判定結果を送信元（ユーザ）への返信メールに入力する。
ステップＳ３８’：そしてアプリケーションサーバ１０４は、真贋判定の結果をメールにて送信元（ユーザのメールアドレス）へ返信する。
【０１４２】
〔コールセンターからのメール返信〕
図１４は、コールセンターからの返信メールをユーザ側で受信する場合の手順例を示すフローチャートである。
【０１４３】
ステップＳ３９：すなわち、ユーザは、例えば多機能携帯通信端末１０のメールクライアントを用いて、コールセンターからの返信メールを受信する。具体的には、コールセンターからの送信に使われたメールサーバのメールボックスにある返信メールをＰＯＰ３で受信する。ここでは多機能携帯通信端末１０を用いているが、ユーザ側でメールの内容を確認できればよいので、メール受信を多機能携帯通信端末１０で行う必要はなく、他の端末（デスクトップＰＣ、ノートＰＣ等）で受信してもよい。
【０１４４】
ステップＳ４０：いずれにしても、返信メールを受信したユーザは、その本文から真贋判定の結果を確認することができる。
【０１４５】
〔ユーザによる真贋判定〕
以上は、コールセンターを介して人的又は自動的に真贋判定を行う場合の手順であるが、特にコールセンターを介在することなく、ユーザ自身が真贋判定を行うこともできる。
図１５は、ユーザによる真贋判定の手順例を示すフローチャートである。以下は、先のステップＳ３２の工程を詳細に説明したものである。以下では、事前に多機能携帯通信端末１０を用いて再帰反射シール５０の撮像が行われ、その撮影画像ファイル（画像データ）が保存されているものとする。
【０１４６】
〔表示工程〕
ステップＳ１０１：ユーザの操作に応じて、上記の真贋判定用アプリは、選択した画像データを多機能携帯通信端末１０のメインメモリに展開する。
ステップＳ１０２：そして真贋判定用アプリは、メインメモリにある画像をディスプレイ４０に表示する。
ステップＳ１０３：このときユーザは、必要に応じて拡大縮小、画像中心の移動等の画像表示変更機能を用いて、ディスプレイ４０上で撮影画像ファイルを観察することができる。
【０１４７】
〔判定工程〕
ステップＳ１０４：そしてユーザは、実際に表示されている画像の色相（色彩）や絵柄（パターン形状）を確認し、自ら真贋判定を行う。なお、真贋判定の基準は、例えば企業ＨＰ（ホームページ）や商品パッケージ内に表示しておくことができる。
【０１４８】
〔撮影画像ファイルの削除〕
図１６は、多機能携帯通信端末１０において撮影画像ファイルを削除する場合の手順例を示すフローチャートである。以下は、先のステップＳ３３の工程を詳細に説明したものである。
【０１４９】
ステップＳ２０１：真贋判定用アプリは、削除の確認ダイアログをディスプレイ４０に表示する。削除確認ダイアログには、例えば「削除しますか？」等の問いかけ文とともに、「ＯＫ」及び「Ｃａｎｃｅｌ」のボタン（ＧＵＩ）が含まれる。
【０１５０】
ステップＳ２０２：真贋判定用アプリは、ユーザのタップ操作に応じて「ＯＫ（削除する）」又は「Ｃａｎｃｅｌ（削除しない）」の判断を行う。その結果、「ＯＫ（削除する）」の判断であればステップＳ２０３に移行し、「Ｃａｎｃｅｌ（削除しない）」の判断であれば工程を終了する。
【０１５１】
ステップＳ２０３：削除すると判断した場合、真贋判定用アプリは、選択した撮影画像ファイル及び対応する画像サムネイルファイルを削除する。
【０１５２】
〔他の実施形態〕
一実施形態では、画像データの送信と受信、真贋判定結果の通知にメールを利用しているが、メールの代わりにネットワークのシステムを使い、多機能携帯通信端末１０で撮像した画像データがネットワークを介して特定のサーバにアップロードされる態様であってもよい。以下、より具体的に説明する。
【０１５３】
〔ブラウザ上での真贋判定〕
図１４は、コールセンターのスタッフによりブラウザ上で真贋判定を行う場合の手順例を示すフローチャートである。
【０１５４】
ステップＳ３０１：真贋判定用アプリは、多機能携帯通信端末１０のネットワーク接続機能を使用して、選択した撮影画像ファイル（画像データ）をコールセンター設置のファイルサーバ（図示していない）にアップロードする。この場合、画像データは、ユーザ（個人、物流拠点、小売店舗等）を識別する情報とともにアップロードされる。識別情報としては、例えばＭａｃアドレス、ＩＰアドレス、又はこれらを加工したハッシュコード、メールアドレス等を利用することができる。
【０１５５】
〔受信工程，保存工程〕
ステップＳ３０２：コールセンターのファイルサーバにおいて、ウェブアプリが上記のアップロードされた画像データをデータベースに保存する。
【０１５６】
〔判定工程，通知工程〕
ステップＳ３０３：アップロードされた画像データに対し、コールセンターのスタッフがブラウザ上で真贋判定を行い、その結果をウェブ上に書き込む。
【０１５７】
ステップＳ３０４：ウェブアプリは、スタッフにより真贋判定の結果の書き込みがなされると、返信メールを自動生成して送信処理を行う。なお、メールの返信を行う場合の手順は、上述した実施形態と同様である。
【０１５８】
〔コールセンターからのメール返信時〕
図１５は、コールセンターからのメール返信時にユーザ側で行われる手順例を示すフローチャートである。
【０１５９】
ステップＳ４０１：ユーザが保有する多機能携帯通信端末１０において、メールクライアントがコールセンターからの返信メールを受信する。メールの受信についても、上述した実施形態と同様である。
【０１６０】
ステップＳ４０２：多機能携帯通信端末１０にてメールを受信すると、ユーザはブラウザを立ち上げて上記のファイルサーバ（専用のＵＲＬ）にアクセスする。これにより、書き込まれた真贋判定の結果をブラウザ越しに確認することができる。
【０１６１】
図１６は、ブラウザ上で表示される判定結果画面の一例を示す図である。判定結果画面には、例えば作成者（ユーザ）のメールアドレス、アップロードデータの受信日時、判定結果の書き込み日時、担当スタッフのＩＤ、真贋判定の結果、スタッフからのコメント等の情報が含まれている。また判定結果画面には、アップロード画像とともに、スタッフからのコメント表示が含まれる。
【０１６２】
図１６に示される例では、アップロードされた画像に不備（サイズ過小）があったため、結果ステータスは「再撮影」となっている。この場合、担当スタッフからのコメントとして、「もっとシールを大きく撮影してください」といった文言が表示されている。また、アップロード画像にガイドライン画像が重ねて表示されるとともに、ガイドライン画像に対して「赤丸ぐらいの大きさでシールを撮影してください」といったコメントが付加されている。この場合、ユーザはガイドライン画像で示される程度の大きさで撮影をやり直し、再度アップロードすることで、同様の返信メールを受け取ることができる。
【０１６３】
コールセンターのスタッフは、真贋判定に適した態様（大きさ、明るさ、鮮明度等）の画像データがアップロードされてきた場合、アップロード画像を用いて同様に真贋判定を行い、「真正品」又は「非真正品（偽造品）」の判定結果をブラウザ上で書き込む。ユーザは、同様に返信メールを受け取った後、ブラウザ上で判定結果を確認することができる。
【０１６４】
以上のように、本実施形態（別実施形態を含む）によれば、専用の判定器具を持たないエンドユーザであっても、汎用の多機能携帯通信端末１０等を用いて容易に真贋判定の結果（センターによる判定結果又は自己の判定結果）を得ることができる。これにより、条件や場所、人を選ぶことなく、再帰反射シール５０を用いた対象物の真贋判定方法を広く普及させることができる。
【０１６５】
また、このように簡便な真贋判定方法を広めることで、第三者による偽造行為を効果的に抑止し、真正品の市場を適正に保護することができる。
【０１６６】
本発明は上述した実施形態に制約されることなく、種々に変形して実施することができる。一実施形態で挙げた再帰反射シール５０や包装体ＰＲの形態はあくまで一例であり、これらについて他の形態を採用してもよい。
【０１６７】
また、図３〜図５に示す真贋判定用アプリ作動時の画面は適宜に変更してもよい。また、カメラ２０による撮影フレームは、縦長又は横長のいずれであってもよい。
【符号の説明】
【０１６８】
１０    多機能携帯通信端末（撮像手段、送信手段）
２０    カメラ
３０    ＬＥＤライト
４０    ディスプレイ
５０    再帰反射シール（再帰反射積層体）
７０    再帰反射層
１００    インターネット回線
１０２    メールサーバ（受信手段、通知手段）
１０４    アプリケーションサーバ（判定処理装置、受信手段、保存手段、判定手段、通知手段）
１０８    作業端末（通知手段）
【図１】
2012195018.tif 000003
【図６】
2012195018.tif 000004
【図７】
2012195018.tif 000005
【図８】
2012195018.tif 000006
【図９】
2012195018.tif 000007
【図１０】
2012195018.tif 000008
【図１１】
2012195018.tif 000009
【図１２】
2012195018.tif 000010
【図１４】
2012195018.tif 000011
【図１５】
2012195018.tif 000012
【図１６】
2012195018.tif 000013
【図１７】
2012195018.tif 000014
【図１８】
2012195018.tif 000015
【図２】
2012195018.tif 000016
【図３】
2012195018.tif 000017
【図４】
2012195018.tif 000018
【図５】
2012195018.tif 000019
【図１３】
2012195018.tif 000020
【図１９】
2012195018.tif 000021